【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
無線通信システムにおいて端末装置（ＵＥ）によって近接サービス（Ｐｒｏｘｉｍｉｔｙ  Ｓｅｒｖｉｃｅ；ＰｒｏＳｅ）を行う方法であって、前記方法は、
無線パラメータと前記無線パラメータに対する地理的領域情報とを含むＰｒｏＳｅサービス許可をＨｏｍｅ  ＰＬＭＮ（Ｈｏｍｅ  Ｐｕｂｌｉｃ  Ｌａｎｄ  Ｍｏｂｉｌｅ  Ｎｅｔｗｏｒｋ；ＨＰＬＭＮ）から受信することと、
前記無線パラメータに基づいて、前記ＵＥの現在位置においてＰｒｏＳｅ動作が可能か否かを決定することと、
前記無線パラメータが前記現在位置において使用されることが可能である場合、前記ＰｒｏＳｅ動作を行うことと
を含み、
前記無線パラメータは、ネットワークによってサービングされないときにＰｒｏＳｅ直接通信（ｃｏｍｍｕｎｉｃａｔｉｏｎ）のために使用されるように設定され、
前記無線パラメータに対する前記地理的領域情報は、前記無線パラメータが特定の地理的領域における使用を許容されるか否かを示す、方法。
【請求項２】
前記ＰｒｏＳｅサービス許可は、所定の範囲のネットワークでＰｒｏＳｅ特徴が支援されるか否かを示す情報、前記所定の範囲のネットワークで前記ＰｒｏＳｅ特徴を使用することが許可（ａｕｔｈｏｒｉｚｅ）されるか否かを示す情報、及び、前記所定の範囲のネットワークで前記ＰｒｏＳｅ特徴がイネーブル（ｅｎａｂｌｅ）されているか否かを示す情報のうちの一つ以上を含む、請求項１に記載の方法。
【請求項３】
前記所定の範囲のネットワークは、ＰＬＭＮ（Ｐｕｂｌｉｃ  Ｌａｎｄ  Ｍｏｂｉｌｅ  Ｎｅｔｗｏｒｋ）、ＴＡ（Ｔｒａｃｋｉｎｇ  Ａｒｅａ）、ＴＡＬ（Ｔｒａｃｋｉｎｇ  Ａｒｅａ  Ｌｉｓｔ）、セル（Ｃｅｌｌ）、ｅＮｏｄｅＢのサービス地域（ｓｅｒｖｉｃｅ  ａｒｅａ）、ＭＭＥ（Ｍｏｂｉｌｉｔｙ  Ｍａｎａｇｅｍｅｎｔ  Ｅｎｔｉｔｙ）のサービス地域、行政区域、又は集合場所のうちの一つ以上の単位で定義される、請求項２に記載の方法。
【請求項４】
前記ＰｒｏＳｅサービス許可は、
前記ＵＥにあらかじめ設定される、ＰｒｏＳｅサービス許可を取得するための方式、
前記ＵＥの要請に応答してネットワークノードから提供される、ＰｒｏＳｅサービス許可を取得するための方式、又は
前記ＰｒｏＳｅサービス許可の変更時に前記ネットワークノードから前記ＵＥに提供される、ＰｒｏＳｅサービス許可を取得するための方式
のうちの一つ以上を使用して取得される、請求項１に記載の方法。
【請求項５】
前記ネットワークノードは、ＭＭＥ、ｅＮｏｄｅＢ、ＡＮＤＳＦ（Ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎ）エンティティ、又はＰｒｏＳｅサーバーのうちの一つ以上を含む、請求項４に記載の方法。
【請求項６】
前記ＰｒｏＳｅサービス許可は、前記ＵＥの位置に基づいて決定される、請求項１に記載の方法。
【請求項７】
前記ＰｒｏＳｅ動作は、Ｐｒｏｓｅ直接通信（ｃｏｍｍｕｎｉｃａｔｉｏｎ）である、請求項１に記載の方法。
【請求項８】
前記近接性基準情報は、ＰｒｏＳｅ探索のための近接性基準情報又はＰｒｏＳｅ通信のための近接性基準情報のうちの一つ以上を含む、請求項１に記載の方法。
【請求項９】
前記ＰｒｏＳｅ探索のための近接性基準情報は、探索範囲情報、無線範囲情報、地理的範囲情報、又は信号強度情報のうちの一つ以上を含む、請求項８に記載の方法。
【請求項１０】
前記ＰｒｏＳｅ通信のための近接性基準情報は、通信範囲情報、無線範囲情報、地理的範囲情報、チャネル条件情報、達成可能なＱｏＳ（Ｑｕａｌｉｔｙ  ｏｆ  Ｓｅｒｖｉｃｅ）情報、達成可能なスループット情報、パケット遅延許容値情報、パケットエラー損失率情報、又は信号強度情報のうちの一つ以上を含む、請求項８に記載の方法。
【請求項１１】
評価を行う周期又は時点に関する情報が前記ＵＥに追加で提供される、請求項１に記載の方法。
【請求項１２】
前記近接性基準情報は、ＰｒｏＳｅ通信類型に基づいて提供される、請求項１に記載の方法。
【請求項１３】
前記近接性基準情報は、前記ＵＥの位置又は相手ＵＥの位置、前記ＵＥが位置しているネットワーク又は相手ＵＥが位置しているネットワーク、メディア種類、ＡＰＮ（Ａｃｃｅｓｓ  Ｐｏｉｎｔ  Ｎａｍｅ）、ＱＣＩ（ＱｏＳ  Ｃｌａｓｓ  Ｉｄｅｎｔｉｆｉｅｒ）、ベアラー種類、アプリケーション種類、サービス種類、あて先ドメイン、通信ピアの識別子のうちの一つ以上の単位に提供される、請求項１に記載の方法。
【請求項１４】
前記近接性基準情報は、ＭＭＥ、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔｉｎｇ  Ｎｏｄｅ）、ＨＳＳ、Ｐｒｏｓｅサーバー、ＡＡＡサーバー、ＡＮＤＳＦエンティティ、ゲートウェイノード、ｅＮｏｄｅＢのうちの一つ以上から前記ＵＥに提供される、請求項１に記載の方法。
【請求項１５】
前記近接性基準情報は、
前記ＵＥの近接性基準情報要請に応答してネットワークノードから提供される、前記近接性基準情報を取得するための方式、
前記近接性基準情報の変更時に前記ネットワークノードから前記ＵＥに提供される方式、
他のＰｒｏＳｅ関連情報と併せて提供される、前記近接性基準情報を取得するための方式、
前記ＵＥのＰｒｏＳｅ探索要請に応答して前記ネットワークノードから提供される、前記近接性基準情報を取得するための方式、
前記ＵＥのＰｒｏＳｅ通信要請に応答して前記ネットワークノードから提供される、前記近接性基準情報を取得するための方式、
前記ＵＥのＰｒｏＳｅ通信要請を含むＰｒｏＳｅ探索要請に応答して前記ネットワークノードから提供される、前記近接性基準情報を取得するための方式、又は
前記ＵＥのＰｒｏＳｅ関連登録要請又は認証要請に応答して前記ネットワークノードから提供される、前記近接性基準情報を取得するための方式
のうちの一つ以上を使用して取得される、請求項１に記載の方法。
【請求項１６】
前記ＰｒｏＳｅ動作は、
ＰｒｏＳｅ探索を行う動作、
新しいフローをＰｒｏＳｅ通信を介して開始する動作、
インフラストラクチャーデータ経路を通して確立されたフローをＰｒｏＳｅ通信経路にスイッチングする動作、
ＰｒｏＳｅ通信経路を通して確立されたフローをインフラストラクチャーデータ経路にスイッチングする動作、
直接モードデータ経路を通して確立されたフローをローカル−ルーティング方式経路にスイッチングする動作、又は
ローカル−ルーティング方式経路を通して確立されたフローを直接モードデータ経路にスイッチングする動作
のうちの一つ以上を含む、請求項１に記載の方法。
【請求項１７】
無線通信システムにおいて近接サービス（Ｐｒｏｘｉｍｉｔｙ  Ｓｅｒｖｉｃｅ；ＰｒｏＳｅ）を行う端末装置（ＵＥ）であって、前記ＵＥは、
送受信モジュールと、
プロセッサと、
を備え、
前記プロセッサは、無線パラメータと前記無線パラメータに対する地理的領域情報とを含むＰｒｏＳｅサービス許可をＨｏｍｅ  ＰＬＭＮ（Ｈｏｍｅ  Ｐｕｂｌｉｃ  Ｌａｎｄ  Ｍｏｂｉｌｅ  Ｎｅｔｗｏｒｋ；ＨＰＬＭＮ）から受信し、前記無線パラメータに基づいて、前記ＵＥの現在位置でＰｒｏＳｅ動作が可能か否かを決定し、前記無線パラメータが前記現在位置において使用されることが可能である場合に前記ＰｒｏＳｅ動作を行うように構成され、
前記無線パラメータは、ネットワークによってサービングされないときにＰｒｏＳｅ直接通信（ｃｏｍｍｕｎｉｃａｔｉｏｎ）のために使用されるように設定され、
前記無線パラメータに対する前記地理的領域情報は、前記無線パラメータが特定の地理的領域における使用を許容されるか否かを示す、端末装置。
【請求項１８】
前記ＵＥは、近接サービス−可能公共安全用端末である、請求項１に記載の方法。
【手続補正２】
【補正対象書類名】明細書
【補正対象項目名】００２５
【補正方法】変更
【補正の内容】
【００２５】
本発明について前述した一般的な説明と後述する詳細な説明はいずれも例示的なものであり、請求項に記載の発明を更に説明するためのものである。
本発明は、例えば、以下を提供する。
（項目１）
無線通信システムの端末装置において近接サービス（Ｐｒｏｘｉｍｉｔｙ  Ｓｅｒｖｉｃｅ；ＰｒｏＳｅ）を行う方法であって、
ＰｒｏＳｅ特徴（ｆｅａｔｕｒｅ）支援関連情報に基づいて、前記端末の現在位置でＰｒｏＳｅ動作が可能か否かを決定するステップと、
前記ＰｒｏＳｅ動作が可能な場合、近接性基準（ｐｒｏｘｉｍｉｔｙ  ｃｒｉｔｅｒｉａ）情報を用いて前記ＰｒｏＳｅ動作の実行に関連した評価を行うステップと、
前記評価の結果が前記近接性基準を満たす場合、前記ＰｒｏＳｅ動作を行うステップと、
を有する、近接サービス実行方法。
（項目２）
前記ＰｒｏＳｅ特徴支援関連情報は、所定の範囲のネットワークで前記ＰｒｏＳｅ特徴が支援されるか否かを示す情報、前記所定の範囲のネットワークで前記ＰｒｏＳｅ特徴を使用することが許可（ａｕｔｈｏｒｉｚｅ）されるか否かを示す情報、又は前記所定の範囲のネットワークで前記ＰｒｏＳｅ特徴がイネーブル（ｅｎａｂｌｅ）されているか否かを示す情報のうち一つ以上を含む、項目１に記載の近接サービス実行方法。
（項目３）
前記所定の範囲のネットワークは、ＰＬＭＮ（Ｐｕｂｌｉｃ  Ｌａｎｄ  Ｍｏｂｉｌｅ  Ｎｅｔｗｏｒｋ）単位、ＴＡ（Ｔｒａｃｋｉｎｇ  Ａｒｅａ）単位、ＴＡＬ（Ｔｒａｃｋｉｎｇ  Ａｒｅａ  Ｌｉｓｔ）単位、セル（Ｃｅｌｌ）単位、ｅＮｏｄｅＢのサービス地域（ｓｅｒｖｉｃｅ  ａｒｅａ）単位、ＭＭＥ（Ｍｏｂｉｌｉｔｙ  Ｍａｎａｇｅｍｅｎｔ  Ｅｎｔｉｔｙ）のサービス地域単位、地理的位置（ｇｅｏｇｒａｐｈｉｃ  ｌｏｃａｔｉｏｎ）単位、行政区域単位、又は集合場所単位のうち一つ以上を含む、項目２に記載の近接サービス実行方法。
（項目４）
前記ＰｒｏＳｅ特徴支援関連情報は、
前記端末にあらかじめ設定される方式、
前記端末の要請に対する応答を通じてネットワークノードから提供される方式、又は  前記ＰｒｏＳｅ特徴支援関連情報変更時に前記ネットワークノードから前記端末に提供される方式のうち一つ以上によって取得される、項目１に記載の近接サービス実行方法。
（項目５）
前記ネットワークノードは、ＭＭＥ、ｅＮｏｄｅＢ、ＡＮＤＳＦ（Ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎ）、又はＰｒｏＳｅサーバーのうち一つ以上である、項目４に記載の近接サービス実行方法。
（項目６）
前記ＰｒｏＳｅ特徴支援関連情報は、前記端末の位置に基づいて決定される、項目１に記載の近接サービス実行方法。
（項目７）
前記ＰｒｏＳｅ特徴は、ＰｒｏＳｅ探索（Ｄｉｓｃｏｖｅｒｙ）又はＰｒｏｓｅ通信（ｃｏｍｍｕｎｉｃａｔｉｏｎ）のうち一つ以上を含む、項目１に記載の近接サービス実行方法。
（項目８）
前記近接性基準情報は、ＰｒｏＳｅ探索のための近接性基準情報又はＰｒｏＳｅ通信のための近接性基準情報のうち一つ以上を含む、項目１に記載の近接サービス実行方法。
（項目９）
前記ＰｒｏＳｅ探索のための近接性基準情報は、探索範囲、無線範囲、地理的範囲、又は信号強度のうち一つ以上に関する情報を含む、項目８に記載の近接サービス実行方法。
（項目１０）
前記ＰｒｏＳｅ通信のための近接性基準情報は、通信範囲、無線範囲、地理的範囲、チャネル条件、達成可能なＱｏＳ（Ｑｕａｌｉｔｙ  ｏｆ  Ｓｅｒｖｉｃｅ）、達成可能なスループット、パケット遅延許容値、パケットエラー損失率、又は信号強度のうち一つ以上に関する情報を含む、項目８に記載の近接サービス実行方法。
（項目１１）
前記評価を行う周期又は時点に関する情報が前記端末に追加で提供される、項目１に記載の近接サービス実行方法。
（項目１２）
前記近接性基準情報は、ＰｒｏＳｅ通信類型にしたがって提供される、項目１に記載の近接サービス実行方法。
（項目１３）
前記近接性基準情報は、前記端末の位置又は相手端末の位置、前記端末が位置しているネットワーク又は相手端末が位置しているネットワーク、メディア種類、ＡＰＮ（Ａｃｃｅｓｓ  Ｐｏｉｎｔ  Ｎａｍｅ）、ＱＣＩ（ＱｏＳ  Ｃｌａｓｓ  Ｉｄｅｎｔｉｆｉｅｒ）、ベアラー種類、アプリケーション種類、サービス種類、あて先ドメイン、通信ピアの識別子のうち一つ以上の単位に提供される、項目１に記載の近接サービス実行方法。
（項目１４）
前記近接性基準情報は、ＭＭＥ、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔｉｎｇ  Ｎｏｄｅ）、ＨＳＳ、Ｐｒｏｓｅサーバー、ＡＡＡサーバー、ＡＮＤＳＦ、ゲートウェイ、ｅＮｏｄｅＢのうち一つ以上から前記端末に提供される、項目１に記載の近接サービス実行方法。
（項目１５）
前記近接性基準情報は、
前記端末の近接性基準情報要請に対する応答を通じてネットワークノードから提供される方式、
前記近接性基準情報変更時に前記ネットワークノードから前記端末に提供される方式、
他のＰｒｏＳｅ関連情報と併せて提供される方式、
前記端末のＰｒｏＳｅ探索要請に対する応答を通じて前記ネットワークノードから提供される方式、
前記端末のＰｒｏＳｅ通信要請に対する応答を通じて前記ネットワークノードから提供される方式、
前記端末のＰｒｏＳｅ通信要請を含むＰｒｏＳｅ探索要請に対する応答を通じて前記ネットワークノードから提供される方式、又は
前記端末のＰｒｏＳｅ関連登録要請又は認証要請に対する応答を通じて前記ネットワークノードから提供される方式のうち一つ以上によって取得される、項目１に記載の近接サービス実行方法。
（項目１６）
前記ＰｒｏＳｅ動作は、
ＰｒｏＳｅ探索動作、
新しいフローをＰｒｏＳｅ通信を用いて開始する動作、
インフラストラクチャーデータ経路を通じて通信したフローをＰｒｏＳｅ通信経路にスイッチングする動作、
ＰｒｏＳｅ通信経路を通じて通信したフローをインフラストラクチャーデータ経路にスイッチングする動作、
直接モードデータ経路を通じて通信したフローをローカル−ルーティング方式経路にスイッチングする動作、又は
ローカル−ルーティング方式経路を通じて通信したフローを直接モードデータ経路にスイッチングする動作のうち一つ以上を含む、項目１に記載の近接サービス実行方法。
（項目１７）
無線通信システムにおいて近接サービス（Ｐｒｏｘｉｍｉｔｙ  Ｓｅｒｖｉｃｅ；ＰｒｏＳｅ）を行う端末装置であって、
送受信モジュールと、
プロセッサと、
を備え、
前記プロセッサは、ＰｒｏＳｅ特徴（ｆｅａｔｕｒｅ）支援関連情報に基づいて、前記端末の現在位置でＰｒｏＳｅ動作が可能か否かを決定し；前記ＰｒｏＳｅ動作が可能な場合、近接性基準（ｐｒｏｘｉｍｉｔｙ  ｃｒｉｔｅｒｉａ）情報を用いて前記ＰｒｏＳｅ動作の実行に関連した評価を行い；前記評価の結果が前記近接性基準を満たす場合、前記ＰｒｏＳｅ動作を行うように設定される、近接サービス実行端末装置。